(57)【要約】【課題】感光体と、帯電装置と、露光装置と、現像装置と、転写装置と、クリーニング装置と、前記露光装置を搭載し、第１の位置と第２の位置とに移動可能な露光架台と、を有し、前記露光装置は前記露光架台が第１の位置にあるときに露光を行う画像形成装置において、第１の位置にある露光架台の変形、撓みを、装置の大型化を招くことなく防止し、露光架台の変形、撓みによるピント不良等の画像不良を防止する画像形成装置を提供すること。【解決手段】第１の位置にある露光架台を、少なくとも現像装置およびクリーニング装置のいずれかにて当接、支持させる。【選択図】図２
2010139616.tif 000002
【特許請求の範囲】
【請求項１】
感光体と、
前記感光体を帯電させる帯電装置と、
帯電した前記感光体に露光し潜像を形成する露光装置と、
前記感光体の潜像をトナー像になす現像装置と、
前記感光体のトナー像を被転写体に転写する転写装置と、
トナー像を転写した後の前記感光体に残留したトナーを除去するクリーニング装置と、
前記露光装置を搭載し、第１の位置と第２の位置とに移動可能な露光架台と、
を有し、
前記露光架台が前記第１の位置にあるときに前記露光装置は露光を行い、前記露光架台は少なくとも前記現像装置または前記クリーニング装置のいずれかに当接することを特徴とする画像形成装置。
【請求項２】
前記露光架台は、振動吸収部材を介して、少なくとも前記現像装置または前記クリーニング装置のいずれかに当接することを特徴とする請求項１に記載の画像形成装置。
【請求項３】
前記振動吸収部材は、前記感光体の回転軸方向に延伸する壁体をなすことを特徴とする請求項２に記載の画像形成装置。
【請求項４】
前記感光体は前記被転写体の移動方向に沿って複数配置され、
複数の前記感光体に対応して、
前記帯電装置と、
前記露光装置と、
前記現像装置と、
前記転写装置と、
前記クリーニング装置と、
を複数有し、
複数の前記露光装置は、一つの前記露光架台に搭載されることを特徴とする請求項１〜３のいずれかに記載の画像形成装置。
【請求項５】
前記露光架台は、前記第１の位置にあるとき、少なくとも、複数の前記感光体のうち前記被転写体の移動方向の最上流位置に配置された感光体に対応する現像装置と、最下流位置に配置された感光体に対応するクリーニング装置と、に当接することを特徴とする請求項４に記載の画像形成装置。
【発明の詳細な説明】
【技術分野】
【０００１】
移動可能な露光架台に露光装置を搭載した画像形成装置に関する。
【背景技術】
【０００２】
従来、帯電、露光、現像を行って感光体に形成したトナー像を記録材に転写して画像形成を行う電子写真方式の画像形成装置が知られている。
【０００３】
電子写真方式の画像形成装置は、ドラム状の感光体の円周に沿って、その回転方向の上流側から、帯電装置、露光装置、現像装置、転写装置、クリーニング装置を順次配設し、帯電装置にて帯電された感光体に、露光装置により露光を行って感光体に潜像を形成し、現像装置にて潜像をトナー像となし、転写装置にて被転写体にトナー像を転写し、画像形成を行う。そして、クリーニング装置にてトナー像を転写後の感光体に残留したトナーを除去する。
【０００４】
露光装置としては、複数の発光体が直線状に並べられた光源、例えばＬＥＤアレイ（発光ダイオードアレイ）から出射された光を、柱状レンズを並べたレンズアレイによって感光体面に照射する方式の露光装置が知られている。
【０００５】
このような露光装置を、架台（以下、露光架台、と記す。）に搭載し、露光架台を、搭載した露光装置を感光体に接近させた第１の位置と、感光体から離間させた第２の位置と、に移動させることが行われる。
【０００６】
露光架台が第１の位置にあるとき、露光装置は、感光体への露光を行う。
【０００７】
また、第１の位置にあるとき、露光架台は、感光体や帯電装置、露光装置、現像装置、クリーニング装置を被覆し、これらを保護する。
【０００８】
露光架台を第２の位置に移動させたときには、感光体や帯電装置、露光装置、現像装置、クリーニング装置が露呈されるので、内部の点検や、清掃、修理等のメンテナンスを容易に行うことができる。
【０００９】
ところで、カラー画像を形成する画像形成装置は、Ｙ（イエロー）、Ｍ（マゼンタ）、Ｃ（シアン）、Ｋ（黒）の画像を形成し、それらを合成してカラー画像となすため、色毎の感光体と、色毎の感光体に対応する帯電装置、露光装置、現像装置、転写装置、クリーニング装置を有する。
【００１０】
このような、複数の感光体を有する画像形成装置において、複数の感光体に対応して配置された露光装置を、共通の露光架台に搭載し、露光架台を第１の位置、および、第２の位置に移動可能とした形態の画像形成装置の技術が開示されている（特許文献１参照）。
【特許文献１】特開２００３−１１２４４６号公報
【発明の開示】
【発明が解決しようとする課題】
【００１１】
前述のように、移動可能な露光架台に搭載された露光装置は、露光架台が第１の位置にあるとき、感光体近傍の所定の位置にて感光体への露光を行い、感光体に潜像を形成する。
【００１２】
通常、露光架台は板状の形態をなし、一端を、ヒンジを介して周辺部材に固定し、ヒンジを中心にして回動するように構成される。そして、第１の位置および第２の位置への移動は、露光架台を回動させることによりなされる。
【００１３】
そして、露光架台は、第１の位置にては、ヒンジを中心として回動可能な端部を位置決め部材に当接させて位置決めされる。したがって、第１の位置にては、露光架台は、ヒンジと位置決め部材とにより支持されて所定の位置に固定される。
【００１４】
露光装置は、露光架台が第１の位置に移動されたとき、感光体近傍の所定の位置に配置され、所定の位置から感光体に露光を行う。
【００１５】
しかし、露光装置が所定の位置から動くと、露光装置と感光体との距離や露光装置の感光体に対する姿勢が変動し、ピント不良等の画像不良を発生させることがある。したがって、露光装置が第１の位置にあるときの露光装置の位置は変動しないことが望まれる。
【００１６】
ところで、露光架台には、変形、撓みが発生することがある。
【００１７】
前述のように、露光架台は第１の位置にあるとき、回動中心となるヒンジ部と、位置決め部材にて支持される。
【００１８】
ヒンジ部と、位置決め部材にて支持される露光架台には、それ自身の質量（自重）や搭載した露光装置の質量が荷重として加わり、変形や、撓みを発生することがある。
【００１９】
露光架台が第１の位置にあるときの露光架台に変形、撓みが発生すると、搭載した露光装置の位置が変動し、ピント不良等による画像不良を発生させる原因となる。
【００２０】
第１の位置にある露光架台の変形、撓み、を防止するには、ヒンジ部と位置決め部材の他の場所にても支持するように、支持する箇所を追加することが好ましいが、新たに支持位置を追加することは装置の大型化を招く。
【００２１】
本発明は、第１の位置にある露光架台の変形、撓みを、装置の大型化を招くことなく防止し、露光架台の変形、撓みによるピント不良等の画像不良を防止する画像形成装置を提供することを課題とする。
【課題を解決するための手段】
【００２２】
上記課題は、以下の手段により解決される。
【００２３】
１．感光体と、
前記感光体を帯電させる帯電装置と、
帯電した前記感光体に露光し潜像を形成する露光装置と、
前記感光体の潜像をトナー像になす現像装置と、
前記感光体のトナー像を被転写体に転写する転写装置と、
トナー像を転写した後の前記感光体に残留したトナーを除去するクリーニング装置と、
前記露光装置を搭載し、第１の位置と第２の位置とに移動可能な露光架台と、
を有し、
前記露光架台が前記第１の位置にあるときに前記露光装置は露光を行い、前記露光架台は少なくとも前記現像装置または前記クリーニング装置のいずれかに当接することを特徴とする画像形成装置。
【００２４】
２．前記露光架台は、振動吸収部材を介して、少なくとも前記現像装置または前記クリーニング装置のいずれかに当接することを特徴とする前記１に記載の画像形成装置。
【００２５】
３．前記振動吸収部材は、前記感光体の回転軸方向に延伸する壁体をなすことを特徴とする前記２に記載の画像形成装置。
【００２６】
４．前記感光体は前記被転写体の移動方向に沿って複数配置され、
複数の前記感光体に対応して、
前記帯電装置と、
前記露光装置と、
前記現像装置と、
前記転写装置と、
前記クリーニング装置と、
を複数有し、
複数の前記露光装置は、一つの前記露光架台に搭載されることを特徴とする前記１〜３のいずれかに記載の画像形成装置。
【００２７】
５．前記露光架台は、前記第１の位置にあるとき、少なくとも、複数の前記感光体のうち前記被転写体の移動方向の最上流位置に配置された感光体に対応する現像装置と、最下流位置に配置された感光体に対応するクリーニング装置と、に当接することを特徴とする前記４に記載の画像形成装置。
【発明の効果】
【００２８】
本発明により、第１の位置にある露光架台の変形、撓みを、装置の大型化を招くことなく防止し、露光架台の変形、撓みによるピント不良等による画像不良を防止する画像形成装置を提供できる。
【発明を実施するための最良の形態】
【００２９】
以下本発明を、実施の形態を用いて説明するが、本発明は以下に記載した実施の形態に限定されるものではない。
【００３０】
図１は、本発明の実施の形態の一例である画像形成装置を示す図である。
【００３１】
図示された画像形成装置１は、Ｙ（イエロー）、Ｍ（マゼンタ）、Ｃ（シアン）、Ｋ（黒）の画像を形成し、それらを合成してカラー画像となすカラー画像形成装置である。
【００３２】
画像形成装置１は、原稿読取部１０、画像形成部２０、中間転写部４０、定着部５０、反転排紙部６０、再給紙部７０、給紙部８０、制御部９０等から構成され、それらが一つの筐体内に収められている。
【００３３】
画像形成装置１は、自動原稿送り装置ＡＤＦを備えている。
【００３４】
自動原稿送り装置ＡＤＦは、原稿載置台１０１に載置された原稿Ｄを一枚ずつ原稿画像読み取り位置ＲＰに搬送する。
【００３５】
原稿画像読み取り位置ＲＰに搬送された原稿Ｄは、原稿読取部１０により読み取りがなされ、原稿排紙台１０７に排出される。
【００３６】
原稿読取部１０は、第１ミラーユニット１１、第２ミラーユニット１２、レンズ１３を介して、原稿の画像を撮像素子ＣＣＤの受光面に結像させる。
【００３７】
撮像素子ＣＣＤにより光電変換された画像信号は、制御部９０にてＡ／Ｄ変換、シェーディング補正、圧縮等の処理がなされ、制御部９０内のメモリに画像データとして格納される。
【００３８】
メモリに格納された前記画像データには、ユーザにより設定されている条件により適宜な画像処理が施されて、出力画像データが生成される。
【００３９】
画像形成部２０は、ドラム状の感光体の円周に沿って、その回転方向の上流側から順次配置された、帯電装置、露光装置、現像装置、クリーニング装置を有し、出力画像データに基づいて露光装置が感光体に露光を行い、感光体に形成された潜像を現像装置にてトナー像となす。
【００４０】
画像形成部２０は、Ｙ（イエロー）色のトナー像を形成する画像形成部であるＹ画像形成部３０Ｙ、Ｍ（マゼンタ）色のトナー像を形成する画像形成部であるＭ画像形成部３０Ｍ、Ｃ（シアン）色のトナー像を形成する画像形成部であるＣ画像形成部３０Ｃ、Ｋ（黒）色のトナー像を形成する画像形成部であるＫ画像形成部３０Ｋ、を有している。
【００４１】
Ｙ画像形成部３０Ｙは、ドラム状の感光体３１Ｙの円周に沿って、その回転方向の上流側から順次配置された、帯電装置３２Ｙ、露光装置３３Ｙ、現像装置３４Ｙ、クリーニング装置３６Ｙを有する。
【００４２】
同様に、Ｍ画像形成部３０Ｍ、Ｃ画像形成部３０Ｃ、Ｋ画像形成部３０Ｋも、それぞれ、感光体３１Ｍ、３１Ｃ、３１Ｋ、と、それぞれの感光体の円周に沿って、その回転方向の上流側から順次配置された、帯電装置３２Ｍ、３２Ｃ、３２Ｋ、露光装置３３Ｙ、３３Ｍ、３３Ｃ、３３Ｋ、現像装置３４Ｍ、３４Ｃ、３４Ｋ、クリーニング装置３６Ｍ、３６Ｃ、３６Ｋ、を有する。
【００４３】
帯電装置３２Ｙ、３２Ｍ、３２Ｃ、３２Ｋ、は、感光体３１Ｙ、３１Ｍ、３１Ｃ、３１Ｋに電荷を付与するコロナ帯電器である。
【００４４】
露光装置３３Ｙ、３３Ｍ、３３Ｃ、３３Ｋは、ＬＥＤアレイとレンズアレイからなるプリントヘッドの形態をなし、それぞれ、制御部９０から送られる出力画像データに基づいて、帯電装置３２Ｙ、３２Ｍ、３２Ｃ、３２Ｋ、により電荷を付与された感光体３１Ｙ、３１Ｍ、３１Ｃ、３１Ｋを露光し、潜像を形成する。
【００４５】
感光体３１Ｙ、３１Ｍ、３１Ｃ、３１Ｋに形成された潜像は、それぞれ、現像装置３４Ｙ、３４Ｍ、３４Ｃ、３４Ｋにより現像されて、Ｙ（イエロー）、Ｍ（マゼンタ）、Ｃ（シアン）、Ｋ（黒）色のトナー像となる。
【００４６】
感光体３１Ｙ、３１Ｍ、３１Ｃ、３１Ｋのそれぞれに形成されたトナー像は、中間転写部４０にて、感光体３１Ｙ、３１Ｍ、３１Ｃ、３１Ｋにそれぞれ対向して配された第１転写ローラ４１Ｙ、４１Ｍ、４１Ｃ、４１Ｋにより、被転写体である中間転写ベルト４２上の所定位置に転写される。中間転写ベルト４２は感光体３１Ｙ、３１Ｍ、３１Ｃ、３１Ｋに沿って移動し、順次、Ｙ（イエロー）、Ｍ（マゼンタ）、Ｃ（シアン）、Ｋ（黒）色のトナー像が重畳して転写されて、カラートナー像が形成される。感光体３１Ｙが、被転写体の移動方向の最上流位置に配置された感光体であり、感光体３１Ｋが最下流位置に配置された感光体である。
【００４７】
トナー像の転写を終えた感光体３１Ｙ、３１Ｍ、３１Ｃ、３１Ｋの表面に残留しているトナーは、それぞれ、クリーニング装置３６Ｙ、３６Ｍ、３６Ｃ、３６Ｋによって除去される。
【００４８】
トナーを除去された感光体３１Ｙ、３１Ｍ、３１Ｃ、３１Ｋは、再び帯電装置３２Ｙ、３２Ｍ、３２Ｃ、３２Ｋ、により電荷を付与され、新たな潜像およびトナー像形成に供される。
【００４９】
一方、中間転写ベルト４２上に形成されたカラートナー像は、給紙部８０によって給送されてきた用紙Ｐに、第２転写ローラ４３によって転写される。
【００５０】
トナー像の用紙Ｐへの転写を終えた中間転写ベルト４２はベルトクリーニング装置４４により、表面が清掃され、次の画像転写に供される。
【００５１】
一方、カラートナー像を転写された用紙Ｐは、定着部５０に送られ、加圧加熱されることによって、カラートナー像が用紙Ｐへ定着される。
【００５２】
定着部５０による定着処理を終えた用紙Ｐは排紙反転部６０により搬送され、排紙台６１に排紙される。
【００５３】
なお、用紙Ｐの裏面にも画像形成を行う場合には、表面の画像定着を終えた用紙Ｐを下方にある再給紙部７０に搬送し、用紙Ｐを反転させて再給紙搬送路７２に送り出し、裏面への画像形成に供する。
【００５４】
画像形成部２０におけるＹ画像形成部３０Ｙ、Ｍ画像形成部３０Ｍ、Ｃ画像形成部３０Ｃ、Ｋ画像形成部３０Ｋ、は、共通の画像形成部支持枠２１Ｆに取り付けられ、画像形成ユニット２１としてまとめられている。また、Ｙ、Ｍ、Ｃ、Ｋ、の各画像形成部の露光装置３３Ｙ、３３Ｍ、３３Ｃ、３３Ｋは、画像形成部支持枠２１Ｆに取り付けられた露光架台２２に搭載されている。
【００５５】
この画像形成ユニット２１は、点検や保守の際には画像形成装置１の図示手前側に引き出すことができる。
【００５６】
露光架台２２はヒンジＨを介して画像形成部支持枠２１Ｆに取り付けられ、ヒンジＨを回動中心として回動可能となっている。
【００５７】
露光架台２２は、回動させることにより、露光装置３３Ｙ、３３Ｍ、３３Ｃ、３３Ｋを、それぞれ、感光体３１Ｙ、３１Ｍ、３１Ｃ、３１Ｋ近傍の所定の位置に配置する第１の位置と、露光装置３３Ｙ、３３Ｍ、３３Ｃ、３３Ｋを、それぞれ、感光体３１Ｙ、３１Ｍ、３１Ｃ、３１Ｋから離間させた第２の位置とに移動させることができる。図１に示される画像形成ユニット２１は、露光架台２２が第１の位置の位置にある状態であり、画像形成装置１に装着された画像形成ユニット２１は、露光架台２２が第１の位置にあるとき潜像の形成、トナー像の形成、中間転写ベルト４２へのトナー像の転写等、一連の画像形成動作を行う。
【００５８】
画像形成ユニット２１は画像形成装置１から図示手前方向に引き出すことが可能であり、図示手前方向に引き出されたとき、露光架台２２を回動させ、露光装置３３Ｙ、３３Ｍ、３３Ｃ、３３Ｋを、それぞれ、感光体３１Ｙ、３１Ｍ、３１Ｃ、３１Ｋから離間させた第２の位置に移動させることができる。
【００５９】
露光架台２２が第２の位置にあるときには、画像形成ユニット２１の図示上方が開放され、Ｙ、Ｍ、Ｃ、Ｋ、各画像形成部の感光体や帯電装置、露光装置、現像装置、クリーニング装置が露呈されるので、各部の点検や、清掃、修理等のメンテナンスを容易に行うことができる。
【００６０】
画像形成ユニット２１の構成、と、第１の位置および第２の位置への移動について説明する。
（実施の形態１）
図２は、実施の形態１における画像形成ユニット２１を説明する図である。
【００６１】
図２（ａ）は露光架台２２が第１の位置にあるときの図であり、図２（ｂ）は露光架台２２が第２の位置にあるときの図である。
【００６２】
図２（ａ）に示されるように、第１の形態の画像形成ユニット２１における露光架台２２は、第１の位置の位置にては、画像形成ユニット２１の画像形成部支持枠２１Ｆに配された位置決め部２１ＦＡに端部２２Ａが当接され、ヒンジＨと、位置決め部２１ＦＡにて支持されるとともに、画像形成ユニット２１への配置位置が定められる。そして、露光架台２２は、ヒンジＨと、位置決め部２１ＦＡにて支持されるとともに、現像装置３４Ｙ、３４Ｍ、３４Ｃ、３４Ｋ、クリーニング装置３６Ｙ、３６Ｍ、３６Ｃ、３６Ｋ、に当接し、支持される。露光架台２２が第１の位置の位置にあるとき、露光架台２２に搭載された露光装置３３Ｙ、３３Ｍ、３３Ｃ、３３Ｋ、は、それぞれ、感光体３１Ｙ、３１Ｍ、３１Ｃ、３１Ｋの近傍の所定の位置に配置され、所定の位置から感光体３１Ｙ、３１Ｍ、３１Ｃ、３１Ｋに露光を行い、潜像を形成する。
【００６３】
また、露光架台２２がヒンジＨを中心として回動され、図２（ｂ）に示される第２の位置にあるときには、露光架台２２は端部２２Ａが位置決め部２１ＦＡから離間するとともに、現像装置３４Ｙ、３４Ｍ、３４Ｃ、３４Ｋ、クリーニング装置３６Ｙ、３６Ｍ、３６Ｃ、３６Ｋ、から離間する。露光架台２２が第２の位置にあるときには、画像形成ユニット２１の図示上方が開放され、感光体や帯電装置、露光装置、現像装置、クリーニング装置が露呈されるので、各部の点検や、清掃、修理等のメンテナンスを容易に行うことができる。
【００６４】
露光架台２２は、第１の位置にあるとき、ヒンジＨと、位置決め部２１ＦＡに支持されるとともに、ヒンジＨと位置決め部２１ＦＡとの間の部位が、現像装置３４Ｙ、クリーニング装置３６Ｙ、現像装置３４Ｍ、クリーニング装置３６Ｍ、現像装置３４Ｃ、クリーニング装置３６Ｃ、現像装置３４Ｋ、クリーニング装置３６Ｋに当接する。
【００６５】
露光架台２２に当接する現像装置３４Ｙ、クリーニング装置３６Ｙ、現像装置３４Ｍ、クリーニング装置３６Ｍ、現像装置３４Ｃ、クリーニング装置３６Ｃ、現像装置３４Ｋ、クリーニング装置３６Ｋは、露光架台２２をヒンジＨと位置決め部２１ＦＡとの間にて支持する。ヒンジＨと位置決め部２１ＦＡとの間の部位を、支持されることにより、自重、および搭載する露光装置３３Ｙ、３３Ｍ、３３Ｃ、３３Ｋ、の質量による露光架台２２の変形、撓みの発生が抑制される。
【００６６】
通常、現像装置、クリーニング装置の上方は、空間となっているので、現像装置、あるいはクリーニング装置にて第１の位置にある露光架台２２を支持するに際して、画像形成ユニット２１を図示左右方向に拡大する必要がなく、装置の大型化を招くことがない。
【００６７】
したがって、装置の大型化を招くことなく、第１の位置にある露光架台２２の変形、撓みを防止することができ、露光架台２２の変形、撓みにより露光装置３３Ｙ、３３Ｍ、３３Ｃ、３３Ｋの位置が変動しピント不良等の画像不良を発生させることが防止される。
【００６８】
なお、以上説明した画像形成装置１は、画像形成ユニット２１のＹ、Ｍ、Ｃ、Ｋ、の各画像形成部におけるすべての現像装置およびクリーニング装置が第１の位置にある露光架台２２に当接し支持しているが、必ずしも、すべての現像装置と、クリーニング装置とで支持しなくとも良い。露光架台の剛性や、自重、および、搭載した露光装置の質量に応じて選定された、適切な位置の現像装置と適切な位置のクリーニング装置、あるいは、適切な位置の現像装置、または、適切な位置のクリーニング装置のいずれかに、当接、支持させるようにしても良い。また、モノクロ画像形成装置のような、画像形成部を１基配設した形態の画像形成装置に適用されても良い。
【００６９】
以上説明した実施の形態１における画像形成ユニット２１は、第１の位置にある露光架台２２を、現像装置およびクリーニング装置により直接支持するものであったが、現像装置およびクリーニング装置による支持を、振動吸収部材を介して行うものでも良い。
（実施の形態２）
図３は、実施の形態２における画像形成ユニット２１を説明する図である。第２の形態の画像形成ユニット２１は、第１の位置にある露光架台２２を、振動吸収部材を介して現像装置およびクリーニング装置にて支持する。
【００７０】
図３（ａ）は露光架台２２が第１の位置にあるときの図であり、図３（ｂ）は露光架台２２が第２の位置にあるときの図である。
【００７１】
図中、３４ＹＡ、３４ＭＡ、３４ＣＡ、３４ＫＡ、は、振動吸収性を有する素材、例えば発泡ポリウレタン樹脂等にて形成され、振動吸収部材として機能する現像中間部材である。現像中間部材３４ＹＡ、３４ＭＡ、３４ＣＡ、３４ＫＡ、は、それぞれ、現像装置３４Ｙ、現像装置３４Ｍ、現像装置３４Ｃ、現像装置３４Ｋ、感光体の回転軸方向、すなわち図示手前側から奥側に延伸する壁体をなして配置されている。
【００７２】
また、３６ＹＡ、３６ＭＡ、３６ＣＡ、３６ＫＡ、は、現像中間部材と同様に、振動吸収性を有する素材、例えば発泡ポリウレタン樹脂等にて形成され、振動吸収部材として機能するクリーニング中間部材である。クリーニング中間部材３６ＹＡ、３６ＭＡ、３６ＣＡ、３６ＫＡ、は、それぞれ、クリーニング装置３６Ｙ、クリーニング装置３６Ｍ、クリーニング装置３６Ｃ、クリーニング装置３６Ｋに、感光体の回転軸方向、すなわち図示手前側から奥側に延伸する壁体をなして配置されている。
【００７３】
図３（ａ）に示されるように、第１の位置にある露光架台２２は、現像中間部材３４ＹＡ、３４ＭＡ、３４ＣＡ、３４ＫＡ、および、クリーニング中間部材３６ＭＡ、３６ＣＡ、３４ＫＡ、３６ＫＡ、に当接する。したがって、第１の位置にある露光架台２２は、ヒンジＨと、位置決め部２１ＦＡに支持されるとともに、現像中間部材３４ＹＡ、３４ＭＡ、３４ＣＡ、３４ＫＡ、を介して現像装置３４Ｙ、３４Ｍ、３４Ｃ、３４Ｋ、に支持され、クリーニング中間部材３６ＹＡ、３６ＭＡ、３６ＣＡ、３６ＫＡ、を介してクリーニング装置３６Ｙ、３６Ｍ、３６Ｃ、３６Ｋに支持される。
【００７４】
露光架台２２がヒンジＨを中心として回動され、図３（ｂ）に示される第２の位置にあるときには、露光架台２２は、端部２２Ａが位置決め部２１ＦＡから離間するとともに、現像中間部材３４ＹＡ、３４ＭＡ、３４ＭＡ、３４ＣＡ、および、クリーニング中間部材３６ＣＡ、３６ＣＡ、３６ＣＡ、３６ＫＡ、から離間する。
【００７５】
第１の位置にある露光架台２２は、ヒンジＨと、位置決め部２１ＦＡに支持されるとともに、現像中間部材３４ＹＡ、３４ＭＡ、３４ＣＡ、３４ＫＡ、を介して現像装置３４Ｙ、３４Ｍ、３４Ｃ、３４Ｋ、に、クリーニング中間部材３６ＹＡ、３６ＭＡ、３６ＣＡ、３６ＫＡ、を介してクリーニング装置３６Ｙ、３６Ｍ、３６Ｃ、３６Ｋに支持される。したがって、その自重、および搭載する露光装置３３Ｙ、３３Ｍ、３３Ｃ、３３Ｋ、の質量による変形、撓みの発生が抑制される。
【００７６】
通常、現像装置、クリーニング装置の上方は、空間となっているので、各中間部材を現像装置、あるいはクリーニング装置に配するに際して、画像形成ユニット２１を図示左右方向に拡大する必要がなく、装置の大型化を招くことがない。
【００７７】
また、露光架台２２は第１の位置にあるときに、各現像中間部材、クリーニング中間部材を介して現像装置、クリーニング装置に支持されるので、現像装置、クリーニング装置の機構部の回転動作に伴って発生する振動が露光架台２２に伝達されることが、各現像中間部材、クリーニング中間部材により防止され、露光動作中の露光装置３３Ｙが振動することがなく、ピッチズレ等の画像不良の発生が防止できる。
【００７８】
なお、実施の形態２においても、第１の位置にある露光架台をすべての現像装置と、クリーニング装置とで支持しなくとも良い。露光架台の剛性や、自重、および、搭載した露光装置の質量に応じて選定された、適切な位置の現像装置および適切な位置のクリーニング装置、あるいは、適切な位置の現像装置、または、適切な位置のクリーニング装置のいずれかに当接し、支持されるように構成しても良い。また、モノクロ画像形成装置のような、画像形成部を１基配設した形態の画像形成装置に適用されても良い。
【００７９】
ところで、前述のように、現像中間部材３４ＹＡ、３４ＭＡ、３４ＣＡ、３４ＫＡ、と、クリーニング中間部材３６ＹＡ、３６ＭＡ、３６ＣＡ、３６ＫＡ、とは、感光体の回転軸方向に延伸する壁体をなし、第１の位置に配置された露光架台２２に当接する。
【００８０】
現像中間部材３４ＹＡ、３４ＭＡ、３４ＣＡ、３４ＫＡ、と、クリーニング中間部材３６ＹＡ、３６ＭＡ、３６ＣＡ、３６ＫＡ、を、感光体の回転軸方向に延伸する壁体となすことは、帯電装置３２Ｙ、３２Ｍ、３２Ｃ、３２Ｋ、の動作により発生するオゾンへの対応に利便性を有する。
【００８１】
以下、Ｙ画像形成部３０Ｙを例にして説明する。
【００８２】
帯電装置３２Ｙは、前述のように、コロナ帯電器であり、感光体３１Ｙに電荷を付与する際に、オゾンを発生させる。オゾンは感光体や、機内の部品を劣化させるため、画像形成装置内に拡散させないこと、および、早急に装置外に排出することが行われる。
【００８３】
露光架台２２が第１の位置にあるとき、現像中間部材３４ＹＡおよびクリーニング中間部材３６ＹＡは露光架台２２に当接されるので、感光体３１Ｙの図示上方は、現像装置３４Ｙ、現像中間部材３４ＹＡ、露光架台２２、クリーニング中間部材３６ＹＡ、クリーニング装置３６Ｙにて囲まれる。
【００８４】
帯電装置３２Ｙは、感光体３１Ｙの回転方向におけるクリーニング装置３６Ｙの下流位置、露光装置３３Ｙの上流位置に配置されるので、露光架台２２が第１の位置に配置されたとき、図３（ａ）に示されるように、帯電装置３２Ｙは、感光体３１Ｙとともに現像装置３４Ｙ、現像中間部材３４ＹＡ、露光架台２２、クリーニング中間部材３６ＹＡ、クリーニング装置３６Ｙにて囲まれる。
【００８５】
帯電装置３２Ｙはコロナ帯電器であり、感光体３１Ｙに電荷を付与する際に、オゾンが発生する。オゾンは感光体や、機内の部品を劣化させるため、画像形成装置内に拡散させないこと、および、早急に装置外に排出することが必要とされる。
【００８６】
帯電装置３２Ｙが、感光体３１Ｙとともに、現像装置３４Ｙ、現像中間部材３４ＹＡ、露光架台２２、クリーニング中間部材３６ＹＡ、クリーニング装置３６Ｙにて取り囲まれることにより、帯電装置３２Ｙから発生するオゾンの画像形成装置内への拡散を抑制することができる。また、ファンを配設し、送風または吸引によりオゾンを画像形成装置外に排出することを行う場合でも、感光体３１Ｙの軸方向に沿って帯電装置３２Ｙを取り囲む現像装置３４Ｙ、現像中間部材３４ＹＡ、露光架台２２、クリーニング中間部材３６ＹＡ、クリーニング装置３６Ｙを、送風または吸引のための通風ダクトとして機能させることができ、その有効性は高い。
【００８７】
以上、Ｙ画像形成部３０Ｙを例にして説明したが、Ｍ画像形成部３０Ｍ、Ｃ画像形成部３０Ｃ、Ｋ画像形成部３０Ｋ、についても同様である。
【００８８】
なお、オゾン対応として機能させる場合でも、露光架台をすべての現像装置と、クリーニング装置とで中間部材を介して支持しなくとも良い。
【００８９】
少なくとも、被転写体の移動方向の最上流位置に配置された感光体に対応する現像装置と、最下流位置に配置された感光体に対応するクリーニング装置と、に中間部材を配置し、第１の位置にある露光架台２２に当接させるようにしても良い。
（実施の形態３）
図４は、実施の形態３における画像形成ユニット２１を説明する図である。実施の形態３の画像形成ユニット２１は、第１の位置にある現像装置およびクリーニング装置による支持を、中間部材を介して、被転写体の移動方向の最上流位置に配置された感光体に対応する現像装置と、最下流位置に配置された感光体に対応するクリーニング装置と、にて行う。
【００９０】
図４（ａ）は露光架台２２が第１の位置にあるときの図であり、図４（ｂ）は露光架台２２が第２の位置にあるときの図である。図中、３４ＹＡ、は、振動吸収性を有する素材、例えば発泡ポリウレタン樹脂にて形成され、振動吸収部材として機能する現像中間部材であり、被転写体の移動方向の最上流位置に配置された感光体３１Ｙに対応する現像装置３４Ｙに、感光体の回転軸方向、すなわち図示手前側から奥側に延伸する壁体をなして配されている。また、３６ＫＡは、振動吸収性を有する素材、例えば発泡ポリウレタン樹脂等にて形成され、振動吸収部材として機能するクリーニング中間部材であり、被転写体の移動方向の最下流位置に配置された感光体３１Ｋに対応するクリーニング装置３６Ｋに、感光体の回転軸方向、すなわち図示手前側から奥側に延伸する壁体をなして配されている。
【００９１】
図４（ａ）に示されるように、露光架台２２は、第１の位置に配置されたとき、ヒンジＨと、位置決め部２１ＦＡに支持されるとともに、現像中間部材３４ＹＡ、３６ＫＡ、に当接し、現像中間部材３４ＹＡ、３６ＫＡを介して、現像装置３４Ｙ、クリーニング装置３６Ｋ、に支持される。
【００９２】
また、露光架台２２がヒンジＨを中心として回動され、図４（ｂ）に示される第２の位置にあるときには、端部２２Ａが位置決め部２１ＦＡから離間するとともに、現像中間部材３４ＹＡ、３６ＫＡ、から離間する。
【００９３】
第１の位置にある露光架台２２は、現像中間部材３４ＹＡ、３６ＫＡを介して、現像装置３４Ｙ、クリーニング装置３６Ｋ、に支持されるので、その自重、および搭載する露光装置３３Ｙ、３３Ｍ、３３Ｃ、３３Ｋ、の質量による露光架台２２の変形、撓みの発生が抑制される。
【００９４】
露光架台２２が第１の位置にあるとき、現像中間部材３４ＹＡおよびクリーニング中間部材３６ＫＡは露光架台２２に当接されるので、感光体３１Ｙ、３１Ｍ、３１Ｃ、３１Ｋ、の図示上方は、現像装置３４Ｙ、現像中間部材３４ＹＡ、露光架台２２、クリーニング中間部材３６ＫＡ、クリーニング装置３６Ｋにて囲まれる。
【００９５】
帯電装置３２Ｙ、３２Ｍ、３２Ｃ、３２Ｋ、は、感光体３１Ｙ、３１Ｍ、３１Ｃ、３１Ｋ、の回転方向における、それぞれのクリーニング装置の下流位置、露光装置の上流位置に配置されている。したがって、露光架台２２が第１の位置に配置されたとき、帯電装置３２Ｙ、３２Ｍ、３２Ｃ、３２Ｋ、は、感光体３１Ｙとともに現像装置３４Ｙ、現像中間部材３４ＹＡ、露光架台２２、クリーニング中間部材３６ＫＡ、クリーニング装置３６Ｋにて囲まれる。
【００９６】
このように、帯電装置３２Ｙ、３２Ｍ、３２Ｃ、３２Ｋ、が、現像装置３４Ｙ、現像中間部材３４ＹＡ、露光架台２２、クリーニング中間部材３６ＫＡ、クリーニング装置３６Ｋにて囲まれることにより、帯電装置３２Ｙ、３２Ｍ、３２Ｃ、３２Ｋから発生するオゾンの画像形成装置内への拡散を抑制することができる。また、ファンを配設し、送風または吸引によりオゾンを画像形成装置外に排出することを行う場合でも、感光体３１Ｙの軸方向に沿って帯電装置３２Ｙを囲む現像装置３４Ｙ、現像中間部材３４ＹＡ、露光架台２２、クリーニング中間部材３６ＫＡ、クリーニング装置３６Ｋを、送風または吸引のための通風ダクトとして機能させることができる。このように、少なくとも、被転写体の移動方向の最上流位置に配置された感光体に対応する現像装置と、最下流位置に配置された感光体に対応するクリーニング装置と、に中間部材を配置し、第１の位置にある露光架台２２に当接させるようにすることにより、露光架台２２の撓みを防止することと、発生するオゾンへの対応を簡素な構成で行うことができる。
【図面の簡単な説明】
【００９７】
【図１】本発明の実施の形態の一例である画像形成装置を示す図である。
【図２】実施の形態１における画像形成ユニット２１を説明する図である。
【図３】実施の形態２における画像形成ユニット２１を説明する図である。
【図４】実施の形態３における画像形成ユニット２１を説明する図である。
【符号の説明】
【００９８】
１  画像形成装置
１０  原稿読取部
２０  画像形成部
２１  画像形成ユニット
２１Ｆ  画像形成部支持枠
２１ＦＡ  位置決め部
２２  露光架台
２２Ａ  端部
３０Ｙ  Ｙ画像形成部
３０Ｍ  Ｍ画像形成部
３０Ｃ  Ｃ画像形成部
３０Ｋ  Ｋ画像形成部
３１Ｙ、３１Ｍ、３１Ｃ、３１Ｋ  感光体
３２Ｙ、３２Ｍ、３２Ｃ、３２Ｋ  帯電装置
３３Ｙ、３３Ｍ、３３Ｃ、３３Ｋ  露光装置
３４Ｙ、３４Ｍ、３４Ｃ、３４Ｋ  現像装置
３４ＹＡ、３４ＭＡ、３４ＣＡ、３４ＫＡ  現像中間部材
３６Ｙ、３６Ｍ、３６Ｃ、３６Ｋ  クリーニング装置
３６ＹＡ、３６ＭＡ、３６ＣＡ、３６ＫＡ  クリーニング中間部材
４０  中間転写部
４１Ｙ、４１Ｍ、４１Ｃ、４１Ｋ  第１転写ローラ
４２  中間転写ベルト
４３  第２転写ローラ
４４  ベルトクリーニング装置
５０  定着部、
８０  給紙部
９０  制御部
Ｈ  ヒンジ
Ｐ  用紙
【図１】
2010139616.tif 000003
【図２】
2010139616.tif 000004
【図３】
2010139616.tif 000005
【図４】
2010139616.tif 000006